(57)【要約】【課題】各種打球用具や釣竿を把持する所謂「握り柄」部分を、色彩豊かで、かつ、他とは識別性を有するものとし、かつ、容易に「握り柄」部分を交換が出来るものとする。【解決手段】各種打球用具や釣竿の棒体２の延長した後端近傍を、該棒体２より細くした細棒体３とし、かつ、その後方先端部には雄ネジ４を有したものと成し、該細棒体３に、着色した円筒体６と、その円筒体６を内接して多数の透孔を配設させ、かつ、前記円筒体６とは異なる色で彩色した握り柄１とを挟着させ、前記細棒体３の雄ネジ４に螺着する雌ネジ９を有する摘み付き雌ネジ体５にて、前記円筒体６と前記握り柄１とを前記細棒体３を中心に一体化して成る装飾性直状握り柄。また、リールシート本体１０にも適用した。【選択図】図１
2014097047.tif 000002
【特許請求の範囲】
【請求項１】
打球用具の棒体（２）の後端近傍を、該棒体（２）より細くした細棒体（３）とし、かつ、その後方先端部には雄ネジ（４）を有したものと成し、該細棒体（３）に、着色した円筒体（６）と、該円筒体（６）を内接して多数の透孔を配設させ、かつ、前記円筒体（６）とは異なる色で彩色した握り柄（１）とを挟み、前記細棒体（３）の雄ネジ（４）に螺着する雌ネジ（９）を有する摘み付き雌ネジ体（５）にて、前記円筒体（６）と前記握り柄（１）とを前記細棒体（３）を中心に合体化して成る装飾性直状握り柄。
【請求項２】
握り柄（１）と円筒体（６）とが、円筒状である請求項１記載の装飾性直状握り柄。
【請求項３】
握り柄（１）と円筒体（６）とが、ゆるやかな傾斜のある円錐状である請求項１記載の装飾性直状握り柄。
【請求項４】
打球用具の棒体（２）の延長した後端近傍に、前方に向けて内挿入設する細棒体（３）と同似長の円長細穴（１８）を穿設すると共に、該円長細穴（１８）の入り口には雌ネジ（９）を設け、他方、回動摘み部（８）には、延長棒部（１７）と雄ネジ（４）を介して適当長の細棒体（３）を一直線状に連設し、該延長棒部（１７）に着色した円筒体（６）と、該円筒体（６）を内接して多数の透孔を配設させ、かつ、前記円筒体（６）とは異なる色で彩色した握り柄（１）とを嵌め込み、前記細棒体（３）と延長棒部（１７）との間に有する雄ネジ（４）にて螺着する前記円長細穴（１８）入り口の雌ネジ（９）に、前記回動摘み部（８）を回転させて、前記円筒体（６）と前記握り柄（１）とを前記延長棒部（１７）上に合体化して成る装飾性直状握り柄。
【請求項５】
握り柄（１）と円筒体（６）とが、円筒状である請求項４記載の装飾性直状握り柄。
【請求項６】
握り柄（１）と円筒体（６）とが、ゆるやかな傾斜のある円錐状である請求項４記載の装飾性直状握り柄。
【請求項７】
釣竿のロッドブランクを挿通するアーバー（１２）に、インサートパイプ（１１）を挿通して、リールを固定するため前後にカラー（１３）を有し、該前後カラー（１３）間には円筒状のリールシート本体（１０）を有して成るリールシートにおいて、少なくとも該リールシート本体（１０）が、彩色され、かつ、複数の透孔（７）を有したものとし、前記インサートパイプ（１１）は、リールシート本体（１０）の彩色とは異なる色にて着色されたリールシートであることを特徴とした装飾性直状握り柄。
【請求項８】
トリガー（１５）を有した請求項７記載のリールシートである装飾性直状握り柄。
【請求項９】
釣竿の後端の握り柄部分を、ロッドブランクの後端部には雄ネジ（４）を有したものと成し、該ロッドブランクに、直接又はアーバー（１２）を介して、着色したインサートパイプ（１１）と、該インサートパイプ（１１）を内接して多数の透孔を配設させ、かつ、前記インサートパイプ（１１）とは異なる色で彩色した握り柄（１）とを挟着させ、前記ロッドブランクの雄ネジ（４）に螺着する雌ネジ（９）を有する摘み付き雌ネジ体（５）にて、前記ロッドブランクと直接又はアーバー（１２）を介して、前記インサートパイプ（１１）と握り柄（１）とを、前記ロッドブランクを中心に一体化して成ることを特徴とした装飾性直状握り柄。
【請求項１０】
握り柄（１）とインサートパイプ（１１）とが、円筒状である請求項９記載の装飾性直状握り柄。
【請求項１１】
握り柄（１）とインサートパイプ（１１）とが、ゆるやかな傾斜の円錐状である請求項９記載の装飾性直状握り柄。
【発明の詳細な説明】
【技術分野】
【０００１】  この発明は、全く新規な各種握り柄であって、その装飾性の形成法に特徴があり、好みや気分によって、その装飾性を変更できるように成した直状の握り柄である。
すなわち、ゲートボール・マレットゴルフ・グランドゴルフ等の打球用具の握り柄や、更に、釣竿のリールシート辺りと握り柄にも用いるようにしたものである。
【背景技術】
【０００２】  従来の各種打球スポーツ用のステックやクラブのグリップ、即ち握り柄は、使用者が把持する際に、滑り難いようにするために弾性質な材料を採用したり、更には表面に凹凸等を設けたものも多く見受けられた。しかし、一般的には、それら握り柄を、装飾性すなわち色彩の面から見ると、至極地味なものであって、例えば表面材料にゴム成分を主素材としたものならば、成型時に顔料の挿入を加減して黒い色調を加減する程度であった。【０００３】  ところが、最近は、打球スポーツそのものを楽しむ種類が大変多くなって、それら各種打球スポーツを行う年齢層が高齢化すると共に、いわゆる、小父さん・小母さん族の参加が非常に増えた。そこで、使用するステックやクラブを購入する時は、打球力を発揮できるものよりも、一見して他人と差別・識別できやすいものを選択するようになって来た。【０００４】  また、釣を好む人達は、その釣竿を非常に大切にする。それは、海釣り、渓流釣りなどと、魚釣の目的先によっては、釣竿は片手で、その後端部を握り柄として使用する単純な一本竿も使用されるが、最近は、釣竿にリールを設けたものなどが多くなり、竿の後端部と共に、そのリールを設けた辺りとの前後２ヶ所を両手で把持する場合が多くなって来ていて、自然に釣竿自体の構成部品の種類が多様化して来ているからである。【０００５】  したがって、最近の釣竿は単なる一本の竿体のみの構成のものでなく、細いロッドブランクと称する竿本体を中心にして、リールを取り付けるためのリールシートが、ガタ付かぬように、パイプ体であるジョイントスペーサー又はアーバーと称するものを内抱し、その前後を、リアー及びフロントの両カラーによってネジ止めされて、細いロッドブランクに挿入固着させるような二重構造と多少複雑化した構成のものとなっている。【０００６】  そんなことから、最近の釣竿では、個々の構成部品の色彩を変えたものが、多種販売されるようになって来たのであり、使用者の好みにより、色の異なった単体部品にて釣竿を組み立てるようになって来た。今後も益々その傾向は強まるであろう。
【先行技術文献】
【特許文献】
【０００７】  ところで、本件出願内容のものは、新規なものであって、先行技術文献には同じ構成のものは意匠も含めて全く見出せなかったが、握り柄部分に、滑り防止を施したものは多数あった。そこで、その滑り防止を施した事例の紹介は割愛し、構成に特徴があり、かつ、装飾性をも重視したものについて参考までに、その幾つかの先願を下記する。
【特許文献１】実公平１−７９９７３号公報（１頁、第１図、第２図、第３図）
【特許文献２】特開２００４−０５７０９８号公報（３頁、図２、図５、図６）
【特許文献３】特開２００１−１４８９７１号公報（２〜３頁、図１、図３）
【特許文献４】特開２００１−２６０２５７号公報（５〜７頁、図１、図１４）
【発明の概要】
【発明が解決しようとする課題】
【０００８】  上記の特許文献１は、考案の名称が「グリップ」であり、実用新案登録請求の範囲に、補強繊維に合成樹脂を含浸させて所定の大きさに成形される管体の表面に、複数の孔を所望の配列で穿設した合成樹脂シートを一体に添設せしめて形成することを特徴とするグリップだとしている。【０００９】  特許文献２は、発明の名称が「釣竿」で、釣竿の軽量化を図るべくグリップを、所定肉厚の筒状に形成され、肉厚方向に切り込まれた切欠凹部が設けられたコア部材と、コア部材に被せられ、当該グリップの所定の外形形状を規定する被覆部材とを有することを特徴とするもので、グリップがいわゆる肉抜きされた構造であるから、従来の釣竿に比べて十分な軽量化が図られるとしている。しかも、グリップがかかる肉抜きが施された場合であっても、グリップの外形の成形には何ら制限は加えられないので、釣人にとって握りやすいグリップを構成することができるというものである。【００１０】  特許文献３は、発明の名称が「釣竿及びリールシート」で、リールシートに当接する指先の滑りを抑制することを課題とするものであり、リールを装着するためのリールシートを備えた釣竿において、リールシートの左右両側面のうちの少なくとも一方の側面には、丸孔若しくは長孔が形成されていることを解決手段としているものである。【００１１】  特許文献４は、発明の名称が「グリップ及びカメラ、スコープ用の脚」で、滑り止め効果が高く、しかも個性的な模様をつけて識別性を付与することができ、見栄えにも優れた釣竿等のグリップと、カメラ、スコープ用の脚を提供するものとし、外面を粗面化した第１熱収縮チューブを芯体の外部に熱収縮させて取付け、さらに、その外側に外面を粗面化した第２熱収縮チューブを熱収縮させて取付ける。また、第１熱収縮チューブと第２熱収縮チューブを色違いにし、さらに、第２熱収縮チューブに散在した小孔を設けて、その孔から第１熱収縮チューブを露出させて模様を生じさせると同時に、グリップ１の表面に引っ掛りの良い窪みを生じさせ得るもので、カメラ、スコープ用の脚も、同様の被覆を表面に設けるものとしている。【００１２】  ところで、上記の各先願例は、いずれも握り柄の部分に特徴があって、中には装飾性も加味していると言えるようなものもあるが、その装飾性自体は、不変を前提としたものであって、予め、使用者自身が、装飾性の変更、すなわち、装飾性の異なる他の部品と交換するものとして考えられたものでは全くないのである。つまり、本発明が解決しようとする課題の最大の特徴は、握り柄部分の、他の装飾性の異なる部品と交換することが、至極簡単に行えるものである。しかも、滑り防止と共に軽量化をも可能としたものである。
【課題を解決するための手段】
【００１３】  ところで、この発明は握り柄部分の構成に特徴があると前記した。打球具の例としてテニスのラケットの場合で説明すると、先端の網の張った面部から棒状に延長して後端となる握り柄部分に特徴があって、基本的には直接把持する握り柄部分は円筒状体か、又は、なだらかな細長い円錐状体のいずれかであるが、特徴としては、表面には色彩が施されていて、かつ、その周面上には大小の透孔を適宜に配設させたものとしている。【００１４】  そして、透孔の形状は、例えばドリルで穿孔し易い円形だけでなく、楕円形・三角形・四角形・多角形など適宜選定すればよいし、また、それらの大小の混在だけでなく、それらの諸形状の混在もよいものとする。【００１５】  そして、その細長い円筒状又は円錐状体に内接する円筒体があって、しかも、この円筒体には上記の円筒状又は円錐状体の色彩とは異なった色彩が施されたものとしている。
すなわち、先端の網の張った面部から延長した棒体を中心として、この棒体に内接して円筒体があり、更にこの円筒体を内接して多数の透孔を配設させた細長い円筒状又は円錐状体が外表面となる二重構成としているのである。【００１６】  勿論、それら二重構成部品のそれぞれの直径と内径は、互いにガタ付き防止となるような寸法に設計されている。したがって、円筒状又は円錐状体の色彩とは異なる色彩の円筒体の表面が、その円筒状又は円錐状体上の大小の透孔から見えることになるのである。【００１７】  次に、釣竿の場合について述べる。前述した如く、通常の釣竿は、竿の後端部と共に、そのリールを設けた辺りにも握り柄があり、前後２ヶ所を片手づつ、すなわち、釣竿を両手で把持する場合が多くなって来ているので、竿の後端部の握り柄とリールを設ける辺りのものとは前述のものと殆ど差がないから、この発明の構成の説明を省略し、ここではリールを設けるリールシート自体も握り柄の部分でもあるとして扱うものとして説明する。
すなわち、竿尻の握り柄だけでなく、リールシートの極近くの握り柄部分と、併せて実際にはよく握ることとなるリールシート自体にも、この発明を適用させるものである。【００１８】  このリールシートの一般的な構成は、そのリールシート本体とでも言うべき円筒体の一端には、リールの片側を受け止めるカラーと称する深いキャップ状体が固着しており、かつ、円筒体の他端には筒状の雄ネジがあって、このカラーと雌ネジとの間にリールを挟むように載置し、雌ネジを有する他方のカラーをネジ込み、リールを両カラー間に固定する構成としている。【００１９】  すなわち、前後の両カラーの環状周囲の一部には、リールの下辺にある前後の平たい舌片部を挿入させる平たい穴があって、そこへリールの下辺の舌片部を挿入させてから、雌ネジを有するカラーを回動させて、リールを両カラー間に挟着させるのである。【００２０】  なお、リールシートには、その円筒体（以後は「リールシート本体」と称する。）の周囲の一部から使用時に、釣竿を両手で保持する際、片手の指先を引掛けるためのトリガーと称するものが突出するように付加されたものがあるが、この場合はトリガーを有するだけの違いだから、この発明の構成の説明を省略する。【００２１】  そして、一般的な釣竿は、細いロッドブランクと称する竿本体に、ガタ付き防止のジョイントスペーサー又はアーバーと称するパイプ体を内抱して、リールシートが配設されていると前述したが、この発明は、更に、このジョイントスペーサー又はアーバー（以後は「アーバー」と称する。）を内抱して、新たに「インサートパイプ」とでも呼称するリールシートの長さと同様のパイプを追加した三重構造としたものである。【００２２】  そして、このリールシートの、主に前記したリールシート本体の周囲に、前述の握り柄と同じく多数の透孔を配設させ、かつ、リールシートとは色の異なる上記のインサートパイプを介在させたものとするのである。以上が釣竿の場合の基本構成である。【００２３】  なお、上記した本発明の構成において、その交換手段が、当該交換部品の螺着構成だけで交換できるよう、螺着相手の両部品を、それぞれ両手で握って回動させるだけで他の色の当該部品と簡単に交換が出来得る構造としていることが肝要である。
以上の説明が本発明の基本的な構成である。
【発明の効果】
【００２４】  次に、この発明の作用効果について説明する。各種打球用の握り柄でも、釣竿の握り柄でも作用効果は同じである。
すなわち、この握り柄部分である円筒状又は円錐状体、若しくはリールシート本体には多数の透孔があるから、握った際に滑り難い効果があり、また、多くの透孔の存在の分だけ軽量化できる。更に、透孔からは、円筒状又は円錐状体、若しくはリールシート本体とは色彩の異なった円筒体、若しくはインサートパイプの表面が見えるから、各透孔の配置の仕方と共に、握り柄全体として、装飾性の豊かな握り柄となるのである。【００２５】  勿論、前述したように、透孔の形状は円形だけでなく、楕円・三角・四角・多角形など適宜選定すればよいし、これらの混在も面白い。また、透孔自体の大きさも大小異にしたものを配設するのもよく、その装飾性の感じ方は、透孔の配設の仕方にも影響して、人それぞれの個性によって異なるから、各種多様なものを揃えおくのが好ましいと言える。【００２６】  なお、これら色彩を互いに異にしている握り柄に相当する円筒状又は円錐状体及びリールシート本体と、円筒体やインサートパイプの交換方法は、後述する実施例にて見るように、円筒状又は円錐状体の場合は摘み付き雌ネジ体を回動させることにより、リールシートの場合はカラーを回動させることによって、結合を分離することができるから、他のものとの交換が至極容易である。
当然ながら、交換したものを新たに組み込む時は、分離とは反対の行為をすればよいことは言うまでもなかろう。【００２７】  したがって、予め円筒状又は円錐状体、若しくはリールシート本体を、透孔形状や配列の異なったもの、色々な異なった色彩のものを別に準備しておき、更に円筒体やインサートパイプも色調の異なったものを別に準備しておけば、それらの組合せにて個性のある識別性のある握り柄とすることが出来るのである。その組合せは無限に出来ると言える。
なお、これら三重構成とするための組み立て手段には、特段の手法を全く必要とせず、後述の実施例で見る一般的な慣用手段であり簡単な螺着手法を用いればよいのである。
【図面の簡単な説明】
【００２８】
【図１】この発明を採用した打球用具の実施例の分解正面図である。（実施例１）
【図２】図１の分解状態を、合体させた時の握り柄の正面図である。
【図３】図２の握り柄の断面図である。
【図４】この発明の握り柄の他の実施例の断面図である。（実施例２）
【図５】この発明の釣竿のリールシートの実施例の分解正面図である。（実施例４）
【図６】図５の分解状態を合体させた時のリールシートの正面図である。
【図７】この発明の釣竿のリールシートの他の実施例の斜視図である。（実施例５）
【図８】図１とは異なる構成の握り柄を装着する部品の正面図である。（実施例３）
【図９】図８の部品と組合わせて用いる棒体後端部の断面図である。
【発明を実施するための形態】
【００２９】  一般的な発明品には、その発明の最良の形態と称するものがある。この発明の最良の形態は、発明の効果の項で述べたように、握り柄やリールシートの周面上に設ける透孔の形状や、その大小、そして透孔の個数などには、使用者の感性によって美観としての感じ方が異なるから、これが最良だという定めはないのである。
【００３０】  つまり、透孔の配置の仕方、例えば各図示例の如く、大きい円孔を軸線に対して平行に配置させて、小さい円孔を適宜に散りばめるかは、個人個人の個性の感性によるから、この発明では最良の形態と言うものはないと言えるのである。
【００３１】  さりとて、美観性に対して無限の組合せが有るとは言え、自ずから制限がある。営業的にも制限があるから、先ず作り易い透孔として、図例のように円の大小のみで市場の反応を見ると良い。勿論、握り柄やリールシート自体の色彩は幾つも異色ものを揃えておく必要があろうし、同様に円筒体やインサートパイプの色彩も幾つか揃えおく必要があろう。
【実施例１】
【００３２】  この発明の具体的な構成として、その実施例を、各図面に基づき説明するが、これらの図面においては、形を異にしていても機能上同一のものは、特段の相違がない限りは同一の符号として示した。また、引き出し線は、同一符号を付すべき全箇所に設けているとは限らなく、幾つかを代表的に選択したので承知願いたい。【００３３】  図１の実施例は、例えばテニスのラケットの例で、握り柄１部分の二重構造を長さ方向に分解して示したものである。すなわち、図示しない打球面部から延長した棒体２には、更に段差を設けて細棒体３部分があり、その最先端には雄ネジ４を図示省略の小さなビス等の手段で細棒体３の先端部に固着させている。この雄ネジ４は握り柄１の長さ方向の軸線孔を挿通し、雌ネジ９を有した回動摘み８とで成る摘み付き雌ネジ体５の雌ネジ９に、図３の断面図に見る如く螺着させるものである。勿論、棒体２の細棒体３部分には円筒体６が挿通されて握り柄１内に挿入着されている。【００３４】  図２は、前記三重構造部分が一体化した状態、すなわち使用状態で示した部分正面図であり、図３は、図２の軸線に沿った断面図である。
共に、握り柄１にある複数の透孔７を、大小の円形孔のみとして示したが、前述したように円形以外の形状であっても構わないし、それらの形状の透孔と円形孔とを組み合わせたものでも構わない。その配置によるデザインは自由であり、握り柄１の表面色彩も多種多様なものとして揃えおくことが、装飾性の多様化となり好ましいのである。
【実施例２】
【００３５】  実施例２は、図４に示すもので、握り柄１の部分が、最も一般的に採用されていると言える緩やかな傾斜となる円錐形の場合を示した実施例であって、二重構造の内で、棒体２及び細棒体３の部分は図３と同じであるが、その他は円錐形とするために異なっている。
すなわち、握り柄１と円筒体６の棒体２側の端部（図４では左端）は、握り柄１と円筒体６とを重ねた状態での直径を、図示の様に棒体２の直径に合致させ、握り柄１の後端部に向けて順次直径が大となるように円錐状形としたものである。【００３６】  当然、摘み付き雌ネジ体５は、円筒状の図３の場合よりも、やや大き目となるが、雌ネジ９自体は図３の場合と同じである。ただし、この場合の摘み付き雌ネジ体５は、雌ネジ９を内側に有する凹部の外周直径を大きくして、円錐形状とした握り柄１と円筒体６の両全長とを同長とし、かつ、図４に見るように、両後端部が揃って該雌ネジ９を内側に有する凹部の外周上に収まるようにする。このように構成すると、空洞部１６が出来るから、握り柄１を強く握ると、空洞部１６がクッション性を生ずるようになる。勿論、クッション性を防止したいなら適当な素材で空洞部１６を埋めるようにすればよい。【００３７】  なお、上記のように構成したから、握り柄１と円筒体６の両後端部が摘み付き雌ネジ体５から外れることはないが、摘み付き雌ネジ体５を有する部分の外周直径を、図４に示したように、その回動摘み部８の周縁部において、握り柄１と円筒体６の両後端部を、僅かでも囲むような形状にしておくと見栄えがよいものになる。
【実施例３】
【００３８】  なお、螺着手段の配置法において、前述した実施例１の手法とは全く逆に、棒体２とは別体とした細棒体３の反対側に雄ネジ４を設けたものとして、その細棒体３の相対側に摘み付き雌ネジ体５を設けるように成し、そして、棒体２内には細棒体３を挿入する円長細穴でも穿設し、かつ、その円長細穴の最も奥に、雌ネジ９を設ける方法も考えられるが、棒体２内の円長細穴奥に雌ネジ９を設けることは非常に困難であって、この方法は実用的でなく採用できない。【００３９】  そこで、図８に示すように、回動摘み部８から直接延長棒部１７と、雄ネジ４を介して適当長の細棒体３を設けたものとする。勿論、延長棒部１７の所には、図示省略した円筒体６と、その円筒体６を内接した握り柄１が嵌装されるから、延長棒部１７の長さはそれらと同似とする。当然ながら雄ネジ４の取り付けには注意を要し、延長棒部１７と細棒体３とが一直線となるよう、また、両者に対し確実に一体化できるよう図示省略した小さなビス等で確実に固定することが肝要である。【００４０】  勿論、雄ネジ４を環状体であるものとして、その環状体雄ネジ４を嵌通する例えば鋼鉄製細棒を採用して、細棒体３と延長棒部１７を繋ぐ役目をさせるなど補強策を講ずることが好ましいと言える。勿論、重くなるが、細棒体３自体を鋼鉄製として環状体雄ネジ４を嵌着させる方法もよいだろう。【００４１】  図９がこの構成の場合の棒体２を示す断面図である。すなわち、図８の細棒体３を内設するための円長細穴１８が穿設されている。言うまでもなく円長細穴１８の長さは細棒体３の長さを僅かでも超えたものとし、穴の開口部には雌ネジ９が、これまた小さなビス等で棒体２に確実に固定させている。【００４２】  このように構成すれば、雌ネジ９の配設自体も容易であるし、お気に入りの握り柄１にて他の打球用具に共通して使用が可能となって、使用者にとっては便利なものとなろう。
しかしながら、欠点もある。すなわち、図１のものに対して、円長細穴１８を有するために、使用時、特に強打時には棒体２自体の強度が劣ることになる。それでも金属製の雌ネジ９の存在が、円長細穴１８の裂けることを防止する役目を兼ねているとは言える。
なお、握り柄１が多少重くなるとしても、上述のように細棒体３を鋼製とし、棒体２の強度を減ぜぬように、円長細穴１８の直径を出来るだけ小としたいものである。
【実施例４】
【００４３】  実施例４は、図５と図６に示すように釣竿のリール止め部品であり、業界ではリールシートと称するものである。その主要部であるリールシート本体１０の一端外周には雄ネジ４を有し、此処に、図示省略した雌ネジを有するカラー１３をネジ込み、前後の両カラー１３間に挟んだリールを固定する構成としている。図例では一方のカラー１３（フロントカラー）は、リールシート本体１０の一端に一体化されている。【００４４】  すなわち、前後の両カラー１３の環状周囲の一部には、図示しないリールの下辺部にある前後方向の平たい舌片部を挿入させる平たい穴があって、そこへ、そのリールの下辺の舌片部を挿入させてから、可動側のカラー１３の回動ネジ１４を回動させて行き、リールを固着させるような構成となっている。このことは一般的なリールシートの構成である。【００４５】  そして、この発明では、これらリールシート本体１０の周囲に、前述の握り柄１と同じく多数の透孔７を配設させ、このリールシート本体１０と、図示省略した細いロッドブランクと称する竿本体との間に、リールシート本体１０とは色の異なったインサートパイプ１１を介在させたものとするのである。【００４６】  なお、当然ながらアーバー１２は、インサートパイプ１１内に嵌挿されているし、図例ではカラー１３に透孔７を設けていないが、適当な箇所に大小の透孔７を設けることは結構である。しかしながら、その形状からして、カラー１３の透孔７に内接して、ジョイントスペーサー１１を用いたような効果を現出できるものは非常に作り難いので、海水等の浸入に対して排水しやすい箇所にも透孔７を配置させるようにしたい。【００４７】  このことは、トリガー１５を有した図７にも言えることである。もっとも、図７の左端上部にあるに透孔７で見るように、インサートパイプ１１と透孔７とが、直に内接する必要はないのであり、透孔７を介してインサートパイプ１１の色が見えればよいのである。
また、好ましくは、強度の点から、ジョイントスペーサー１１の材質は、ガラスファイバー製が好ましい。
【実施例５】
【００４８】  実施例５は、図７に見るように、前出とは変った形状のリールシート本体１０で、その円筒体の周囲の一部から指先を引掛けるためのトリガー１５と称するものを備えたものがある。つまり、指先を引掛けるということは、この部分をしばしば握ることになることを意味しているから、実質的に握り柄１の部分でもあるとも言えるのである。ただし、この場合もトリガー１５を有することが前述品との違いだけだから、本発明の構成等の説明を省略する。なお、図示にて上面の平らな部分にリールが載置固定され、雄ネジ４には図示省略したが、図５及び図６に見るような回動ネジ１４付きのカラー１３を必要とする。【００４９】  以上詳記の各実施例は、図示したものに限定されるものではなく、また、それぞれを互いに組み替えたり、組合せても用いることができる上、構造が比較的簡単なので、それぞれ透孔７や色の異なったものを製造するだけだから、それぞれの部品各種を安価に提供できて、産業上にも有益な発明である。
【符号の説明】
【００５０】    １  握り柄
２  棒体
３  細棒体
４  雄ネジ
５  摘み付き雌ネジ体
６  円筒体
７  透孔
８  回動摘み部
９  雌ネジ
１０  リールシート本体
１１  インサートパイプ
１２  アーバー
１３  カラー
１４  回動ネジ
１５  トリガー
１６  空洞部
１７  延長棒部
１８  円長細穴
【図１】
2014097047.tif 000003
【図２】
2014097047.tif 000004
【図３】
2014097047.tif 000005
【図４】
2014097047.tif 000006
【図５】
2014097047.tif 000007
【図６】
2014097047.tif 000008
【図７】
2014097047.tif 000009
【図８】
2014097047.tif 000010
【図９】
2014097047.tif 000011